(57)【特許請求の範囲】
【請求項１】
（ａ）光透過性の電気絶縁性支持体；
（ｂ）前記光透過性の電気絶縁性支持体の表面上に横方向に間隔を置いて平行に並べて配置された複数の光透過性アノード電極；
（ｃ）前記アノード電極の上に横方向に間隔を置いて並べて形成された複数の電気絶縁性ペデスタルストリップ；
（ｄ）対応するペデスタルストリップの上に配置された一組の横方向に間隔を置いて並べられた絶縁性バリヤであって、各ペデスタルストリップの一部が各組のバリヤを越えて横方向に拡張しており且つ当該バリヤが当該各ペデスタルストリップの上で上方に突き出ている絶縁性バリヤ；
（ｅ）前記アノード電極の各々、前記支持体及び対応するバリヤの上面の上に存在し且つ前記バリヤの各々を越えて拡張している有機エレクトロルミネセント基材；並びに
（ｆ）前記有機エレクトロルミネセント基材の上に存在する複数の横方向に間隔を置いて並べられたカソード電極
を含んでなり、かつ、２以上のバリヤからなる一組のバリヤの各々が、前記ペデスタルストリップの上で上方に突き出ている実質的に平行な垂直側面を有する、有機エレクトロルミネセント画像表示パネル。
【請求項２】
（ａ）光透過性の電気絶縁性支持体；
（ｂ）前記光透過性の電気絶縁性支持体の表面上に横方向に間隔を置いて平行に並べて配置された複数の光透過性アノード電極；
（ｃ）前記アノード電極及び前記支持体の上に形成され且つ前記アノード電極の方向に直交するように配向された、横方向に間隔を置いて並べられた複数の電気絶縁性ペデスタルストリップ；
（ｄ）前記ペデスタルストリップの各々の上に配置された一組の横方向に間隔を置いて平行に並べられた２以上の絶縁性バリヤであって、各ペデスタルストリップの一部が各組のバリヤを越えて横方向に拡張し、当該バリヤが当該ペデスタルストリップの上で上方に突き出ており且つ前記アノード電極を有する前記支持体の表面と実質的に平行である上面を有し、各組のバリヤがその後カソード電極を蒸着するための蒸着マスクを形成している絶縁性バリヤ；
（ｅ）前記アノード電極の各々、前記支持体、対応するバリヤの上面、当該ペデスタルストリップの各組のバリヤを越えて横方向に拡張している部分、及び当該一組のバリヤの２以上のバリヤの各々の間の上に存在する有機エレクトロルミネセント基材；並びに
（ｆ）前記有機エレクトロルミネセント基材の上に存在し且つ前記アノード電極に直交する方向に配向された複数の平行なカソード電極であって、当該複数の平行なカソード電極の各々はカソード電極材料の蒸着により隣接するカソード電極とは横方向に間隔を置いて並べられており、前記蒸着は、横方向に間隔を置いて並べられたカソード電極を得るため前記蒸着マスクを形成する各バリヤにより遮断され、各組のバリヤによって、一組のバリヤのうちのいずれか一つのバリヤに対して堆積した粒子欠陥物が存在する場合にも実質的に確実に横方向に間隔を置いて並べられたカソード電極が得られるカソード電極
を含んでなり、かつ、２以上のバリヤからなる一組のバリヤの各々が、前記ペデスタルストリップの上で上方に突き出ている実質的に平行な垂直側面を有する、有機エレクトロルミネセント画像表示パネル。
【発明の詳細な説明】
【０００１】
【発明の属する技術分野】
本発明は、一般に有機エレクトロルミネセント画像表示パネルに関し、より詳細には、選ばれた画像表示領域間に拡がる多重電気絶縁性バリヤを有する表示パネルに関する。
【０００２】
【従来の技術】
有機エレクトロルミネセント表示パネル（以下、「有機ＥＬ表示パネル」という。）は、交差する列、行として配置された複数の発光画素を含む画像表示アレイを含有する。
有機ＥＬ表示パネルは、画像表示アレイの他、シンボル又はアイコンを表示するための表示領域であって、共通の支持体上の当該画像表示アレイに隣接した特定領域に配置されたものを含む場合もある。
【０００３】
米国特許第５，２９４，８７０号 (Tangら) に、有機ＥＬ多色画像表示装置が記載されている。明瞭化のため、Tangらの装置の多色性については説明を省く。Tangらの装置の構成において、支持体の表面に、当該支持体上に配置された一連の平行な第一電極と直交するように延びる一連の平行な壁１０７を設けると有利であることがわかった（特に図２参照）。それぞれの壁が一組の画素群と隣接する組の画素群とを分離する。各壁は、実質的に垂直な側面と、当該支持体に平行に延びる上面とを有する。各壁は、その実質的に垂直な側面に対してある角度の下で電極材料を透視線的(line-of-sight) に蒸着することにより第二電極（図２中、Ａ，Ｂ及びＣ）を形成させるための一体型蒸着マスクとして機能する。
【０００４】
Nagayamaらの欧州特許出願公開第０  ７３２  ８６８号（Ａ１）に、電気絶縁塁壁７を有する有機ＥＬ表示パネルが記載されている。各塁壁は張り出し部分７ａを有し、Nagayamaらの開示の図７Ａ〜７Ｈに各種塁壁の横断面図が示されている。これら一つ一つの塁壁の各々が、一組の発光部（又は発光画素群）と隣接する組の発光部とを分離している。各塁壁は、第一表示電極３の一部の上に配置された有機機能層８の上に第二表示電極９を形成させるための一体型蒸着マスクとして働く。
【０００５】
Tangらの装置の壁及びNagayamaらの装置の塁壁は、装置表面で、電気絶縁材料を当該技術分野で周知のフォトリソグラフィー法でパターン化することにより構築される。当該方法は、隣接する壁又は塁壁の間に拡がる領域から絶縁材料を除去し、装置表面に当該壁又は塁壁を構成するパターン化された層が残るように選定される。
【０００６】
Tangらの上記米国特許明細書の教示により構築された壁の底部に、又は壁の側面に、壁のパターン化工程中又はその後に、粒状残留物が堆積し得ることがわかった。Nagayamaらの塁壁の張り出し部の下に粒状残留物が堆積し得ることは予想される。この粒状堆積物の問題は、図１（Ａ）に示した略斜視図及び図１（Ｂ）に示した略横断面図（明瞭化のため、４つの壁のみ図示）から一層容易に認識することができる。
【０００７】
図１（Ａ）では、支持体１２０の上に３つのアノード電極Ａ１〜Ａ３が配置されている。絶縁材料からなる４つの壁Ｗ１〜Ｗ２は、アノード電極上及びそれらの間の支持体上に配置されており且つ、当該アノード電極に直交するように配置されている。
粒子欠陥Ｄを、アノード電極Ａ１と壁Ｗ２の上縁部とに堆積しているものとして概略的に図示する。
【０００８】
図１（Ｂ）は、図１（Ａ）の線１Ｂ−１Ｂに沿った略横断面図であって、アノード電極Ａ１と壁の上面との上に存在するＥＬ基材の別の新たな層を図示するものである。粒子欠陥Ｄはアノード電極Ａ１に対して堆積されており、壁Ｗ２の上面にまで拡張している。さらに、金属性カソード電極材料からなるカソード電極Ｃ１〜Ｃ４が図示されている。当該電極材料は、壁の側面に対して蒸着角Θで蒸着され、よってこれらの壁は、横方向に分離された（すなわち、粒子欠陥Ｄが存在しない場合には隔離された）カソード電極を選択的に蒸着するための一体型マスクとして働く。
【０００９】
粒子欠陥Ｄによって、蒸着された有機ＥＬ基材層１４０は、壁Ｗ１の右側からアノード電極Ａ１に沿って、さらに欠陥Ｄに沿って上り、そして壁Ｗ２の上面上にまで拡張することとなる。さらに重大なことは、欠陥Ｄの上の領域においてＥＬ基材層の上に電極材料が蒸着するために、カソード電極Ｃ１が隣接のカソード電極Ｃ２と接続されることである。実際、欠陥部分におけるカソード電極Ｃ１及びＣ２の間の電気接続によって、任意のアノード電極とカソード電極Ｃ１又はＣ２のいずれか一方との間に電位差をかけた場合に任意のアノード電極とカソード電極Ｃ１又はＣ２のいずれか一方との間の交差領域に位置する画素Ｐから発光が生じることとなる。
【００１０】
比較として、欠陥のない壁Ｗ３とＷ４は、互いに横方向においてきれいに分離されている連関ＥＬ基材層並びに連関カソード電極Ｃ３及びＣ４を有する。
任意のアノード電極とカソード電極Ｃ１又はＣ２のいずれか一方との間の交差部に位置する画素Ｐから発光が生じるということは、装置の画素が有用ではなくなるため問題である。
壁や塁壁の構築によっては、粒子欠陥を完全に信頼できる形で排除することができない。
【００１１】
【発明が解決しようとする課題】
本発明の目的は、間隔を置いて並べられた絶縁性ペデスタルストリップを有するＥＬ表示装置の製造において認められる粒子の問題を感じない有機ＥＬ画像表示パネルを提供することにある。
【００１２】
【課題を解決するための手段】
上記目的は、（ａ）光透過性の電気絶縁性支持体；
（ｂ）前記光透過性の電気絶縁性支持体の表面に横方向に間隔を置いて平行に並べて配置された複数の光透過性アノード電極；
（ｃ）前記アノード電極の上に横方向に間隔を置いて並べて形成された複数の電気絶縁性ペデスタルストリップ；
（ｄ）対応するペデスタルストリップの上に配置された一組の横方向に間隔を置いて並べられた絶縁性バリヤであって、各ペデスタルストリップの一部が各組のバリヤを越えて横方向に拡張しており且つ当該バリヤが当該各ペデスタルストリップの上で上方に突き出ている絶縁性バリヤ；
（ｅ）前記アノード電極の各々、前記支持体及び対応するバリヤの上面の上に存在し且つ前記バリヤの各々を越えて拡張している有機エレクトロルミネセント基材；並びに
（ｆ）前記有機エレクトロルミネセント基材の上に存在する複数の横方向に間隔を置いて並べられたカソード電極
を含んでなる有機エレクトロルミネセント（ＥＬ）画像表示パネルを構築することによって達成される。
【００１３】
図面の説明
図１（Ａ）は、従来技術の有機ＥＬ画像表示装置の一部をその製造段階において図示する略斜視図であって、粒子「Ｄ」がアノード電極の一つと壁の一方の上角部とに対して堆積していることを示すものである。
図１（Ｂ）は、図１（Ａ）の線１Ｂ−１Ｂに沿った略横断面図であって、ＥＬ基材層とカソード電極が、隣接する壁間並びに図１（Ａ）に図示した粒子欠陥の上に形成されていることを示すものである。
図２（Ａ）は、本発明により、隣接するカソード電極を横方向において分離する複数のバリヤ組を有する有機ＥＬ画像表示パネルの略平面図である。
図２（Ｂ）は、図２（Ａ）に示したものと類似する有機ＥＬ画像表示パネルであって、本発明により、多重電気絶縁性バリヤによって画像表示パネルから隔離されたアイコン表示領域をさらに有するものの略平面図である。
図３は、有機ＥＬ画像表示パネルの一部であって、本発明により支持体表面上に配置された対応する電気絶縁性ペデスタルストリップの上に複数組の電気絶縁性バリヤが形成されているものを示す略横断面図である。
【００１４】
図４（Ａ）は、本発明による有機ＥＬ画像表示パネルの複数組の多重バリヤの横断面形状の好ましい一実施態様を示す拡大横断面図である。
図４（Ｂ）は、本発明による有機ＥＬ画像表示パネルの複数組の多重バリヤの横断面形状の好ましい別の実施態様を示す拡大横断面図である。
図５（Ａ）〜（Ｃ）は、支持体表面上に配置された４組の電気絶縁性バリヤであって、各組がアノード電極に対して直交するように延びている比較的近い間隔を置いて並べられた２つのバリヤを含むものを示す略平面図である。（Ａ）では、各組のバリヤが平行な２本の棒状体からなり、（Ｂ）では、バリヤ組の一方のバリヤが、隣接するバリヤ組のバリヤの一端に接続されており、そして（Ｃ）では、バリヤ組の一方のバリヤが、隣接するバリヤ組のバリヤの両端に接続されている。
層厚の寸法のような画像表示パネルの特徴は往々にして１μｍ未満の領域にあるため、これらの図面は見やすいように寸法の正確さを犠牲にしたスケールとなっている。また、図示を明瞭化するため、有機ＥＬ基材を形成する単数又は複数の層は平面図からは省略した。
【００１５】
好ましい実施態様の説明
以下の説明中、類似の表示、記号、等は同様の部品又は機能をさすものとする。本発明の有機ＥＬ画像表示パネルの材料は、常用の有機ＥＬ装置の任意の形態をとることができ、このような常用の装置として、米国特許第４，３５６，４２９号(Tang)、同第４，５３９，５０７号(VanSlyke ら) 、同第４，７２０，４３２号(VanSlyke ら) 、同第４，８８５，２１１号(Tang ら) 、同第４，７６９，２９２号(Tang ら) 、同第４，９５０，９５０号(Perryら) 、同第５，０５９，８６１号(Littmanら) 、同第５，０４７，６８７号(VanSlyke ら) 、同第５，０５９，８６２号(VanSlyke ら) 及び同第５，０６１，６１７号(VanSlyke ら) に記載されているものが挙げられる。これら米国特許明細書の開示を本明細書の一部とする。
【００１６】
ここで図１（Ａ）を参照すると、従来技術の有機ＥＬ画像表示装置の一部をその製造段階において図示する略斜視図が示されており、光透過性支持体１２０の表面に光透過性アノード電極Ａ１〜Ａ３に対して直交するように単一の電気絶縁性壁Ｗ１〜Ｗ４が形成されている。粒子欠陥「Ｄ」がアノード電極Ａ１と壁Ｗ２の上角部とに対して堆積していることが示されている。このような粒子欠陥Ｄが形成されることはあり、壁Ｗのような装置の特徴部に、特に壁の構築中に付着する場合がある。Tangらの米国特許第５，２９４，８７０号の第５欄、第３５〜４５行目に記載されているように、当該壁を形成するための好適な技法には、アノード電極を担持する支持体１２０の表面上にネガ型フォトレジストをスピンコーティングする方法が含まれる。フォトリソグラフィー法を使用して、パターン化された露光により露光領域におけるフォトレジストを架橋して不溶化し、フォトレジストの未露光領域をパターン現像及び洗浄法により除去することができる。このパターン現像工程及び洗浄工程に際し、部分不溶化フォトレジスト粒子が形成することがあり、そして支持体１２０の表面に対し、並びに壁Ｗが形成される際の当該壁の側面に対し、付着又は堆積する恐れがある。
【００１７】
ここで図１（Ｂ）を参照すると、従来技術の有機ＥＬ画像表示装置１０の実質的に完成した構成を図示する略横断面図が示されている。簡単に説明すると、光透過性支持体１２０の表面上に、光透過性アノード電極Ａ１が、続いて順に有機ＥＬ基材の層１４０及びカソード電極Ｃ１〜Ｃ４がそれぞれ記載されている。ＥＬ基材１４０及びカソード電極の双方共に蒸着法により形成され、ＥＬ基材蒸気の入射方向は破線矢印で、またカソード材料蒸気の入射方向は実線矢印でそれぞれ示されている。有機ＥＬ基材の層１４０は、アノード電極Ａ１の上、壁Ｗ１〜Ｗ４の上面の上、及び粒子欠陥Ｄの上に形成される。有機ＥＬ基材１４０は、２〜４層の積層体であって、各層の厚さの寸法が約１００〜約１０００Åの範囲にあるものを含むことができる。カソード材料蒸気は、壁Ｗ１〜Ｗ４の実質的に垂直な平行側面に対して角度Θにおいて装置１０の表面上に入射することが実線矢印で図示されている。このため、図１（Ｂ）に示した壁の各々の上左角部が蒸気の流れを遮断し、よって、特にカソード電極Ｃ３及びＣ４において明らかであるように、横方向において隔離されたカソード電極を形成するための蒸着マスクとして働く。カソード電極の蒸着条件により、カソード電極をＥＬ基材１４０の上に形成し、当該ＥＬ基材１４０がカソード電極とアノード電極Ａ１との双方に電気的に接触する領域において画素Ｐの発光部分を形成する。
【００１８】
横方向において分離されているカソード電極Ｃ３及びＣ４とは対照的に、カソード電極Ｃ１とＣ２は、壁Ｗ２の上左角部の入射カソード材料蒸気に対する蒸着マスクとしての働きを妨害する粒子欠陥Ｄの場所において電気的に接続されている（電気的に短絡している）。このため、欠陥Ｄのような１個の粒子欠陥が原因となって、隣接する二つの発光画素配置間に永久的な電気接続が形成され、従来技術の有機ＥＬ装置１０が機能的に役に立たないものとなることがある。
【００１９】
ここで図２（Ａ）に目を向けると、光透過性支持体１２０の上に配置され、当該支持体１２０の表面で横方向に間隔を置いて並べて形成された複数の光透過性アノード電極Ａ１〜Ａ３を有する有機ＥＬ画像表示パネル１００の略平面図が図示されている。当該画像表示パネル１００の特徴は、複数組の電気絶縁性バリヤＳＢ１〜ＳＢ４であって各組のバリヤが横方向に間隔を置いて平行に並べられた多重バリヤ（図示の明瞭化のため、各組のバリヤについては二つのバリヤしか図示していない）からなるものを設けたことにある。このように、例えば、バリヤ組ＳＢ１にはバリヤＢ１１及びＢ１２が含まれ、バリヤ組ＳＢ４にはバリヤＢ４１及びＢ４２が含まれる。バリヤの組はアノード電極Ａ１〜Ａ３に対し直交する方向において配向されており、それらは、その一端部１８０においてアノード電極Ａ１を越えて支持体１２０の上にまで延びており且つ、その他端部１８４においてアノード電極Ａ３を越えて延びている。各バリヤ組は、実際に、図１（Ａ）及び（Ｂ）において図示した従来技術の装置の単一壁Ｗ１〜Ｗ４の代わりとなるものである。これらのバリヤ組は、粒子欠陥の悪影響を実質的に排除するものであるが、これについては図３を参照しながらより詳しく後述する。
【００２０】
カソード電極Ｃ１、Ｃ２及びＣ３は、対応するバリヤ組によって互いに横方向において分離されたものとして図示されている。画素Ｐの発光部分は、アノード電極とカソード電極との間の交差する領域として定義される。
【００２１】
ここで図２（Ｂ）に目を向けると、図２（Ａ）に示したものと類似する有機ＥＬ画像表示パネル１００であるが、共通の光透過性支持体１２０の上にアイコン及び／又は英数字の情報を表示するためのアイコン表示領域２００を付加したものの略平面図が示されている。このアイコン表示領域２００は、一組の多重電気絶縁性バリヤ３００によって、画像表示パネル１００から横方向において隔離されている。ここで、アイコン表示領域２００は、表示すべきアイコンの異なる大きさ又は異なる形状を付与するようにパターン化された共通のアイコン表示用アノードＡｉを有するものとして略表示されている。また、個々のアイコン表示用カソードＣｉ１〜Ｃｉ３は特定の領域及び特定の形状を有し且つ、アノードＡｉの部分の上に形成された有機ＥＬ基材（図示なし）の上に存在する。
【００２２】
用語「バリヤ」、「複数組のバリヤ」及び「多重バリヤ」を選んだ理由は、これらが本発明による当該要素の性能を記述するものである、すなわち、図１（Ａ）及び（Ｂ）の従来技術の装置を参照して説明したように、単一の壁又は単一の塁壁を用いた場合に隣接するカソード電極間の横方向における分離に影響を与えるような電気接続の原因となる粒子欠陥が存在しても、隣接するカソード電極間の電気接続に対する障壁となることを表すからである。
【００２３】
ここで図３に目を向けると、支持体１２０の上のアノード電極Ａ１の上の対応する電気絶縁性ペデスタルストリップ１６０の上に複数組の電気絶縁性バリヤＳＢが形成されている画像表示パネル１００の一部の略横断面図が示されている。ペデスタルストリップ１６０とその上に形成された複数組のバリヤＳＢとを除けば、ＥＬ基材１４０及びカソード電極Ｃ１〜Ｃ４のそれぞれの蒸気流からの蒸着については図１（Ｂ）を参照しながら説明したものと同一である。
【００２４】
図１（Ｂ）における粒子欠陥の場所と実質的に同等な場所において、粒子欠陥ＤがバリヤＢ２１に対して堆積していることが図示されている。しかしながら、横方向に間隔を置いて並べられた２以上の平行なバリヤ（例、バリヤＢ２１及びバリヤＢ２２）からなる複数組のバリヤという本発明の特徴により、カソード電極Ｃ１と隣接するカソード電極Ｃ２とは横方向において分離される。カソード電極Ｃ１とＣ２との間に望ましくない電気接続が起こり得るとすれば、それはバリヤＢ２１とバリヤＢ２２との間の横方向の空間内に第二の粒子欠陥が堆積し、当該第二粒子欠陥が欠陥Ｄと同等の寸法を有している場合に限られる。別言すれば、少なくとも二つのバリヤからなる組によって、隣接するカソード電極間に電気接続が生じるためには、二つの粒子欠陥が空間的に一致することが必要となるであろう。
【００２５】
電気絶縁性ペデスタルストリップ１６０は支持体１２０の上及びアノード電極の上に形成され、各ペデスタルストリップの一部はその上に形成される一組のバリヤＳＢを横方向において越えて延びるようにされている。これらの電気絶縁性ペデスタルストリップの主な機能は、バリヤをアノード電極上に直接形成した場合に起こるであろうバリヤのベース角部におけるカソード電極とアノード電極との間の直接的な電気接触を極力避けることである。というのは、ＥＬ基材１４０の厚さは約５０００Åしかなく、このような角部における蒸着の不均一性により角領域が著しく一層薄くなる恐れがあるからである。電気絶縁性ペデスタルストリップはパターン化されたフォトレジストから形成することができるが、別法として、例えば二酸化珪素やシリコンオキシニトリドのような無機材料をパターン化することにより形成することもできる。いずれにしても、電気絶縁性ペデスタルストリップは厚さ範囲が０．５〜２．０μｍと比較的薄いものであるが、複数組のバリヤは、当該ペデスタルストリップから上方へ距離として５〜２０μｍ延びることにより、横方向に間隔を置いて並べられるカソード電極の蒸着及び／又はＥＬ基材の蒸着に対する有効な蒸着マスクとして働く。
【００２６】
ここで図４（Ａ）に目を向けると、有機ＥＬ画像表示パネルの複数組の多重バリヤの横断面形状の好ましい実施態様の一つを示し且つ画素Ｐの発光部を示している拡大横断面図が図示されている。２以上のバリヤからなる一組のＳＢの各バリヤは、ペデスタルストリップ１６０の上で上方へ突き出る実質的に平行な垂直側面１７０を有する。
【００２７】
ここで図４（Ｂ）に目を向けると、有機ＥＬ画像表示パネルの複数組の多重バリヤの横断面形状の別の好ましい実施態様であって、一組のバリヤＳＢの各バリヤが、ペデスタルストリップ１６０の上で上方へ広がりながら突き出る側面１７５を有するものが概略的に図示されている。バリヤの「凹角」プロフィールにより、ＥＬ基材の蒸気流は破線矢印で概略的に示したように散開形蒸気流とすることができ、またカソード材料の蒸気流は実線矢印で概略的に示したように支持体１２０の平面に対して法線方向で入射するものとすることができる。この構成では、末広形バリヤの上縁部が、横方向に間隔を置いて並べられる電極Ｃを蒸着するための蒸着マスクを提供する。
【００２８】
図４（Ａ）及び（Ｂ）に示したバリヤの各々は、アノード電極Ａを搭載する支持体１２０の表面に実質的に平行である上面（その他特定されていない）を有する。
ここで図５（Ａ）、（Ｂ）及び（Ｃ）に目を向けると、支持体１２０の上に配置された４組の電気絶縁性バリヤであって、各組のバリヤが、複数のアノード電極Ａに対して直交するように延びている比較的近い間隔を置いて並べられた二つのバリヤを含むものの略平面図が図示されている。複数組のバリヤＳＢは、複数のアノード電極を横切るように延びており且つ、支持体１２０の上のアノード電極Ａを越えた場所に端部を有する。具体的には、図５（Ａ）は、複数組のバリヤであって、各バリヤが、支持体１２０の上のアノード電極を越えた領域に配置された一端部１８０及び他端部１８２を有するものを図示する。図５（Ｂ）では、一組のバリヤのうち一つのバリヤがその一端部において隣接するバリヤ組の一つのバリヤに対する接合部１８４を形成すると共に、当該バリヤは他端部１８２を有する。図５（Ｃ）では、一組のバリヤのうち一つのバリヤが、その一端部において隣接するバリヤ組の一つのバリヤに対する接合部１８４を形成し且つ、その他端部において接合部１８６を形成する。
【００２９】
本発明の好ましい実施態様についてのこれまでの説明では、Tangらの画像表示装置において壁を構築するために上記米国特許第５，２９４，８７０号においてTangらが採用している方法と同様のフォトリソグラフィー法によりフォトレジスト層をパターン化してバリヤを形成する方法によって複数組のバリヤを構築することが好ましい。
上述したように、表示パネルの線寸法及び面積寸法、並びに二次元表示パネルに望まれる発光画素の数及び面積に応じて、複数組のバリヤには、近い間隔を置いて並べられたバリヤが三つ以上含まれる場合もある。
【００３０】
複数組の多重バリヤを有する有機ＥＬ画像表示パネルは、当該画素から単色光を発するＥＬ基材を用いて構築することができる。別法として、本発明は、多色又は全色型の有機ＥＬ画像表示パネルの構築において複数組の多重バリヤを提供することによって実施することもできる。
本発明をその特定の好ましい実施態様を特に参照しながら詳細に説明したが、本発明の精神及び範囲内の変更態様が可能であることを理解されたい。
【図面の簡単な説明】
【図１】（Ａ）は、従来技術の有機ＥＬ画像表示装置の一部をその製造段階において図示する略斜視図であり、また（Ｂ）は、（Ａ）の線１Ｂ−１Ｂに沿った略横断面図である。
【図２】（Ａ）は、本発明による有機ＥＬ画像表示パネルを示す略平面図であり、また（Ｂ）は、アイコン表示領域をさらに有する有機ＥＬ画像表示パネルを示す略平面図である。
【図３】本発明による有機ＥＬ画像表示パネルの一部を示す略横断面図である。
【図４】（Ａ）は、本発明による有機ＥＬ画像表示パネルの好ましい一実施態様を示す拡大横断面図であり、また（Ｂ）は、本発明による有機ＥＬ画像表示パネルの好ましい別の実施態様を示す拡大横断面図である。
【図５】（Ａ）〜（Ｃ）は、支持体表面上に配置された４組の電気絶縁性バリヤであって、各組がアノード電極に対して直交するように延びている比較的近い間隔を置いて並べられた２つのバリヤを含むものを示す略平面図である。
【符号の説明】
Ａ…アノード電極
Ａｉ…アイコン表示領域のアノード電極
Ｂ…バリヤ
Ｃ…カソード電極
Ｃｉ…アイコン表示領域のカソード電極
Ｄ…粒子欠陥
Ｐ…画素の発光部
ＳＢ…一組のバリヤ
Ｗ…壁又は塁壁（従来技術）
１０…有機ＥＬ画像表示パネル（従来技術）
１００…有機ＥＬ画像表示パネル
１２０…光透過性支持体
１４０…有機ＥＬ基材
１６０…ペデスタルストリップ
１７０…バリヤの垂直側面
１７５…バリヤの上方に広がる側面
１８０…バリヤの端部
１８２…バリヤの端部
１８４…バリヤ接合部
１８６…バリヤ接合部
２００…アイコン表示領域
３００…領域２００とパネル１００とを隔離するバリヤ
【図１】
0004444383.tif 000002
【図２】
0004444383.tif 000003
【図３】
0004444383.tif 000004
【図４】
0004444383.tif 000005
【図５】
0004444383.tif 000006